(57)【要約】【課題】  クラブヘッドへの取り付け又は取り外しが速やかに行えて便利なゴルフクラブ用ヘッドカバーを提供する。【解決手段】  ゴルフクラブのヘッドを収容するヘッドカバー部２と、ヘッドに連なるシャフトの付け根部分を覆うシャフトカバー部３とを備えたゴルフクラブ用ヘッドカバー１である。シャフトカバー部３は、ヘッドカバー部２のヘッドのクラウン側を覆う部分から延設された前蓋部３１と、ヘッドカバー部２のヘッドのソール側を覆う部分から延設された後蓋部３２とに分割されとともに、前蓋部３１と後蓋部３２の周縁部の所要位置に、磁石の磁力によって前蓋部３１と後蓋部３２を分離可能に接着させる締結部３３を設けた構成とする。【選択図】        図１
2009034335.tif 000002
【特許請求の範囲】
【請求項１】
ゴルフクラブのヘッドを収容するヘッドカバー部と、ヘッドに連なるシャフトの付け根部分を覆うシャフトカバー部とを備えたゴルフクラブ用ヘッドカバーであって、
前記シャフトカバー部は、前記ヘッドカバー部のヘッドのクラウン側を覆う部分から延設された前蓋部と、前記ヘッドカバー部のヘッドのソール側を覆う部分から延設された後蓋部とに分割されるとともに、
前記前蓋部と前記後蓋部の周縁部の所要位置に、磁石の磁力によって前記前蓋部と前記後蓋部を分離可能に接着させる締結部を設けたことを特徴とするゴルフクラブ用ヘッドカバー。
【発明の詳細な説明】
【技術分野】
【０００１】
本発明は、クラブヘッドへの取り付けや取り外しが簡単に行えるゴルフクラブ用ヘッドカバーに関するものである。
【背景技術】
【０００２】
ゴルフクラブのヘッドは、シャフトの部分と比較すると幅広に形成されているので、キャディバッグの中に複数本のゴルフクラブを入れて持ち歩くと、アイアンクラブのヘッドがウッドクラブのヘッドやシャフトに衝突したり、ウッドクラブのヘッド同士が擦れ合うことで傷付きやすい。そこで、従来より、ゴルフクラブのヘッドとシャフトの一部を覆うように構成され、ヘッドやシャフトを保護するゴルフクラブ用ヘッドカバーが利用されている。
【０００３】
例えば、下記特許文献１に開示されたゴルフクラブのヘッドカバーは、クラブヘッドをカバーするヘッド部と、シャフトの付け根部分をカバーする筒部とからなり、幅広のクラブヘッドを挿入できるように筒部の側面が上下方向に開口しており、この開口部にファスナーを設けて筒部を開閉可能にしている。
【特許文献１】実開平４−６７４７０号公報
【０００４】
上記のような構成の従来のヘッドカバーは、筒部に設けたチャックを拡開すると、筒部が上下方向の開裂された状態となるので、クラブヘッドをヘッド部の中に収容したり、あるいはヘッド部から取り出すことが可能となる。
【０００５】
また、例えば、下記特許文献２には、ゴルフクラブのヘッドの上面を覆うヘッド保護部と、シャフトを収納する鞘状のシャフト保護部とを一体に形成し、シャフト保護部には、全長に亘ってスリットを設けた構成のゴルフクラブ用ヘッドカバーが開示されている。そして、下記特許文献２の図７には、先ず、ヘッド保護部の上部に面ファスナーによって着脱自在に取り付けられている蓋を開き、クラブヘッドをヘッド保護部の上に乗せ、次に、クラブヘッドとシャフトの接合部付近をシャフト保護部のスリットに指で押し込み、さらに、シャフトの下部をスリット内に押し込んで行くことにより、ヘッドカバーを取り付ける手順が示されている。
【特許文献１】実用新案登録第３０８２３６２号公報
【発明の開示】
【発明が解決しようとする課題】
【０００６】
ところが、特許文献１のヘッドカバーは、クラブの出し入れの度にシャフトを覆う筒部の開口部に設けたファスナーを上げ下ろしする動作が煩わしく、また、ファスナーを全開してもクラブヘッドの出入口が狭いので、ヘッドカバーの取り付けや取り外しに手間がかかるという問題があった。
【０００７】
特に近年では、３００ｃｃ前後のラージヘッドのチタンドライバーなども使用されているため、ヘッドカバーは、クラブヘッドやシャフトの保護は勿論のこと、クラブヘッドに対して簡単に被覆させたり外したりできるものが要求されている。
【０００８】
また、特許文献２のヘッドカバーは、ヘッド保護部の上部に面ファスナーによって着脱自在に取り付た蓋を設けたので、最初にクラブヘッドを挿入する作業はやり易くなっているものの、ヘッドカバーとゴルフクラブを両方手に持って、シャフトをシャフト保護部のスリットに押し込む操作が必要となるため、ヘッドカバーの脱着に手間がかかる点では、特許文献１のものと大差はなかった。
【０００９】
また、特許文献１〜２に見られるような従来のヘッドカバーは、クラブヘッド同士が互いに接触して傷付くのを防止することのみから考えられたものであるため、外観のデザインが単調で、娯楽性が足りないという問題もあった。
【００１０】
本発明は、上記した従来の問題点に鑑みてなされたものであって、クラブヘッドへの取り付け及び取り外しが簡単で、かつ、速やかに行えるゴルフクラブ用ヘッドカバーを提供することを目的としている。
【課題を解決するための手段】
【００１１】
上記の目的を達成するため、本発明のゴルフクラブ用ヘッドカバーは、
ゴルフクラブのヘッドを収容するヘッドカバー部と、ヘッドに連なるシャフトの付け根部分を覆うシャフトカバー部とを備えたゴルフクラブ用ヘッドカバーであって、
前記シャフトカバー部は、前記ヘッドカバー部のヘッドのクラウン側を覆う部分から延設された前蓋部と、前記ヘッドカバー部のヘッドのソール側を覆う部分から延設された後蓋部とに分割されるとともに、
前記前蓋部と前記後蓋部の周縁部の所要位置に、磁石の磁力によって前記前蓋部と前記後蓋部を分離可能に接着させる締結部を設けたこと、
を最も主要な特徴点としている。
【発明の効果】
【００１２】
本発明によれば、シャフトカバー部は、磁石の磁力によって分離可能に接着された前蓋部と後蓋部に分割されているので、使用者が前蓋部と後蓋部を引き離す動作によって簡単に拡開され、クラブヘッドの出し入れのための十分な空間を確保することができる。従って、ヘッドカバーの取り付け及び取り外しの作業が極めて簡単となり、速かに行うことができる。
【００１３】
また、本発明によれば、前蓋部と後蓋部の各先端部を手に持って簡単にクラブヘッドに覆い被せることができるので、キャディバッグの中に入っているゴルフクラブを取り出さなくても、ヘッドカバーを取り付けることが可能となる。
【発明を実施するための最良の形態】
【００１４】
以下、本発明を実施するための最良の形態を、添付図面に示す実施例に基づいて説明する。図１は、本実施例のゴルフクラブ用ヘッドカバーの斜視図、図２は、前蓋部と後蓋部を拡開し、クラブヘッドに取り付ける状態を表した説明図、図３は、前蓋部と後蓋部を閉じ合わせ、クラブヘッドとシャフトの付け根部分を収容する直前の状態を表した説明図、図４は、前蓋部と後蓋部に設けた締結部の構成を説明する図である。
【００１５】
本実施例のゴルフクラブ用ヘッドカバー１は、図１及び図２に示すように、ゴルフクラブＧのヘッドＧ１を収容するヘッドカバー部２と、ヘッドＧ１に連なるシャフトの付け根部分Ｇ２を覆うシャフトカバー部３とを備えている。シャフトカバー部３は、図２に示しように、ヘッドカバー部２のヘッドＧ１のクラウン側を覆う部分から延設された前蓋部３１と、ヘッドカバー部２のヘッドＧ１のソール側を覆う部分から延設された後蓋部３２とに分割され、前後方向に開閉可能となっている。
【００１６】
ヘッドカバー部２は、適宜の緩衝性を備えている素材であれば良く、例えば、布、不織布、皮、人工皮革、ニット地などの素材から形成することができる。また、ヘッドカバー部２は、雨天時における濡れなどを考慮すると、少なくとも外面は皮、合成皮革などの防水性に優れたものが好ましい。逆に、ヘッドカバー部２の内面は、クラブヘッドを傷つけないような素材から形成することが好ましい。
【００１７】
本実施例では、ヘッドカバー部２は、外側は合成皮革、内側は起毛布で構成し、その間にクッション材を充填して膨らみを持たせたので、クッション性に優れ、クラブヘッドの保護効果を高めることができる。一方、シャフトカバー部３はニットで構成したので、伸縮性に優れ、ゴルフクラブの形状に追従して変形可能になる。
【００１８】
また、本実施では、図１に示すように、ヘッドカバー部２をライオンの頭部に、シャフトカバー部３をライオンの胴体部に見せることにより、商品の個性化を図っている。具体的には、ヘッドカバー部２の先端部付近２１には、ライオンの鼻４１や口４２を、後端部付近２３には、ライオンの目４３やたてがみ４４，４５を適宜に設けて、ライオンの頭部に似せてある。
【００１９】
また、シャフトカバー部３の前蓋部３１には、ライオンの後肢４５と前肢４７を、後蓋部３２にはライオンの尻尾４６を適宜設けてある。このため、図３に示すように、前蓋部３１と後蓋部３２を閉じ合わせると、シャフトカバー部３が一体になって、ライオンの胴体部に似た形状となる。
【００２０】
上記のような構成としたので、本実施例では、クラブヘッド同士が互いに接触して傷付くのを防止できるだけでなく、クラブの形状に十分に添うとともに、娯楽性にも優れた動物の形状を模したゴルフクラブ用ヘッドカバーを提供することができる。
【００２１】
シャフトカバー部３は、互いに対向する前蓋部３１と後蓋部３２により、図２に示すような、鳥の嘴のような形状とされ、前蓋部３１と後蓋部３２の周縁部には、先端部３４を除いた位置に、夫々、磁石の磁力によって前蓋部３１と後蓋部３２を分離可能に接着させる締結部３３が設けられている。先端部３４には締結部３３が存在しないように構成したのは、ゴルフクラブのシャフトＧ２が通過できるようにするためである。
【００２２】
また、前蓋部３１の締結部３３と、後蓋部３２の締結部３３は、図２において符号Ａの破線の円で示す部分のように、分離して距離を開けて設けることが望ましい。これは、前蓋部３１の締結部３３と、後蓋部３２の締結部３３が、螺子などで回動可能に連結されたものであると、クラブヘッドＧ１をヘッドカバー部２の内部へ挿入する際に、挿入口が狭くなって不便だからである。図２に示すように、締結部３３，３３を分離して距離を開けて設ければ、前蓋部３１と後蓋部３２を拡開させたときに、クラブヘッドＧ１の挿入口が充分開くことによって大きくなるので、クラブヘッドＧ１をヘッドカバー部２の内部に、楽に挿入することができる。
【００２３】
ただ、そうすると、クラブヘッドＧ１の挿入口が大きくなる反面、ヘッドカバー部２とシャフトカバー部３の継ぎ目部分（図２において符号Ａの破線の円で示す部分）が弱くなるというデメリットもある。そこで、本実施例では、ヘッドカバー部２とシャフトカバー部３の継ぎ目部分は、符号４５に示すように、生地の厚みを増して強度を強くしている。そして、その生地の厚みを増した部分４５を、ライオンのたてがみ４４，４５の一部に見せることで、デザイン上も違和感がないようにしている。
【００２４】
前蓋部３１と後蓋部３２には、先端部３４の両側の位置からヘッドカバー部２に向かって、シャフトＧ２の収容方向と平行に、締結部３３を設けている。締結部３３は、磁力によって、前蓋部３１と後蓋部３２を分離可能に結合させる。これにより、前蓋部３１と後蓋部３２は簡単に分離させて拡開したり、閉鎖して磁力で結合させることができる。
【００２５】
図４は、前蓋部３１と後蓋部３２に設けた締結部３３の構成を説明する図である。締結部３３は、磁石３７を固定する板部材と、この板部材全体を包装する織物製の被覆材とで構成され、その織物製の被覆材を、前蓋部３１と後蓋部３２の周縁部の所要位置（但し、先端部３４とヘッドカバー部２に近接した部分は除く。）に縫着する方法によって固定している。織物製の被覆材で磁石３７を覆うように構成したのは、磁石が露出していると、シャフトＧ２を傷つけたり、磁石自身が割れる可能性があるからである。
【００２６】
締結部３３は、図４に示すように、前蓋部３１と後蓋部３２に夫々２箇所縫着しているが、磁石３７は、各締結部３３の上端と下端に夫々設けるようにしている。なお、図４において、３５は、前蓋部３１と後蓋部３２の形を保ち、取り扱いを容易にするために設けた柔軟性のある樹脂製の芯材を示している。また、３６は、シャフトＧ２を覆うニット製の素材を示している。
【００２７】
図３は、シャフトカバー部３の前蓋部３１と後蓋部３２を閉じ合わせる直前の状態を表した説明図である。前蓋部３１と後蓋部３２を閉じ合わせた状態において、ヘッドカバー部２の内部空間とシャフトカバー部３の内部空間は互いに連通している。ヘッドカバー部２の内部空間は外部から遮断されており、シャフトカバー部３の内部空間も、シャフトＧ２を外側に出すために先端部３４が開放している以外は、外部から遮断された状態となっている。
【００２８】
図２及び図３により明らかなように、本発明のゴルフクラブ用ヘッドカバーでは、シャフトカバー部３の内部空間は、前蓋部３１と後蓋部３２を引き離す使用者の動作によって簡単に分離される。これによって、ゴルフクラブＧのヘッドＧ１を、ヘッドカバー部２に収容したり、ヘッドカバー部２から引き出すことができる。また、ゴルフクラブＧのヘッドＧ１を収容するか又は引き出した後、シャフトカバー部３は締結部３３の磁力によって閉鎖される。
【００２９】
本発明は上記の例に限らず、各請求項に記載された技術的思想の範囲内で、適宜実施の形態を変更しても良いことは言うまでもない。例えば、実施例では、ヘッドカバー部とシャフトカバー部を、ライオンの頭部と胴体部に見せる例を開示したが、ヘッドカバー部とシャフトカバー部の外観はこれに限らない。例えば、犬、猫、アニメのキャラクターなどに見せることも可能である。
【００３０】
以上説明したように、本発明のゴルフクラブ用ヘッドカバーは、シャフトカバー部が磁石の磁力によって分離可能に接着された前蓋部と後蓋部に分割されているので、使用者が前蓋部と後蓋部を引き離す動作によって簡単に拡開され、クラブヘッドの出し入れのための十分な空間を確保することができる。従って、ヘッドカバーの取り付け及び取り外しの作業が極めて簡単となり、速かに行うことができる。
【産業上の利用可能性】
【００３１】
本発明のゴルフクラブ用ヘッドカバーは、ドライバーだけでなく、アイアンクラブやパターにも適用できるものである。
【図面の簡単な説明】
【００３２】
【図１】本実施例のゴルフクラブ用ヘッドカバーの斜視図である。
【図２】前蓋部と後蓋部を拡開し、クラブヘッドに取り付ける状態を表した説明図である。
【図３】前蓋部と後蓋部を閉じ合わせ、クラブヘッドとシャフトの付け根部分を収容する直前の状態を表した説明図である。
【図４】前蓋部と後蓋部に設けた締結部の構成を説明する図である。
【符号の説明】
【００３３】
１  ゴルフクラブ用ヘッドカバー
２  ヘッドカバー部
３  シャフトカバー部
３１  前蓋部
３２  後蓋部
３３  締結部
【図１】
2009034335.tif 000003
【図２】
2009034335.tif 000004
【図３】
2009034335.tif 000005
【図４】
2009034335.tif 000006